(57)【要約】【課題】風路損を小さくすることができると共に、塵埃が溜まっても風量が落ちず、エアから塵埃を分離する塵埃分離手段に付着した塵埃を容易に剥離できる電気掃除機を提供すること。【解決手段】掃除機本体２０の吸気口５２から電動送風機３３の吸気開口３３Ａに至るまでの吸込風路に設けられて吸気口５２からエアと共に吸い込まれる塵埃を分離する塵埃分離部６０と、前記塵埃分離部６０でエアから分離された塵埃を捕集する集塵部（集塵室部５５）とを備えている。しかも、前記塵埃分離部６０は、上流側に位置するメッシュ状のフィルタ筒部（ネットフィルタＦ２）と、前記フィルタ筒部（ネットフィルタＦ２）の下流端に連設された非通気性の筒部（枠部Ｗ２）を備えている。【選択図】  図６
2004147929.tif 000002
【特許請求の範囲】
【請求項１】
掃除機本体の吸気口から電動送風機の吸気開口に至るまでの吸込風路に設けられて前記吸気口からエアと共に吸い込まれる塵埃を分離する塵埃分離部と、前記塵埃分離部でエアから分離された塵埃を捕集する集塵部とを備えた電気掃除機であって、
前記塵埃分離部は、上流側に位置するメッシュ状のフィルタ筒部と、前記フィルタ筒部の下流端に連設された非通気性の筒部を備えることを特徴とする電気掃除機。
【請求項２】
請求項１に記載の電気掃除機において、前記塵埃分離部は下流に向かうに従って徐々に縮径する円錐筒状に形成されていることを特徴とする電気掃除機。
【請求項３】
請求項２に記載の電気掃除機において、前記フィルタ筒部と非通気性の筒部は筒状フィルタを構成し、前記筒状フィルタのエア流入口側の径は前記吸気口の径よりも大きく形成され、前記筒状フィルタの下流端の径は前記吸気口の径よりも小径に形成されていると共に、前記非通気性の筒部の上流端の径は前記吸気口の径よりも大きく形成されていることを特徴とする電気掃除機。
【発明の詳細な説明】
【０００１】
【発明の属する技術分野】
この発明は、掃除機本体の吸気口から吸引された塵埃を分離する塵埃分離部と塵埃を集塵する集塵部を備えた電気掃除機に関する。
【０００２】
【従来の技術】
従来から、図９に示すサイクロン方式の電気掃除機が知られている（例えば特許文献１参照）。
【０００３】
かかる電気掃除機は、上部が開口されたダストカップ１と、このダストカップ１内を負圧にする電動送風機２等とを備えている。ダストカップ１の周壁１Ａには吸気口３が形成され、この吸気口３は塵埃を吸引する吸込口体４に吸気通路５を介して連通している。
【０００４】
そして、吸込口体４から吸引された塵埃は吸気通路５を介してダストカップ１の吸気口３からダストカップ１内に吸引される。このダストカップ１内では旋回流が発生して、塵埃と空気が分離され、空気のみがダストカップ１の上部開口から電動送風機２に吸引されて外部へ排気される。
【０００５】
【特許文献１】
特開２００１−１０４２２３号公報（段落３８，４５、図２）
【０００６】
【発明が解決しようとする課題】
ところで、このような電気掃除機にあっては、吸気通路５を上方に向かって吸引された空気は９０度向きが変えられて吸気口３からダストカップ１内に入り、ここで旋回流となってダストカップ１の周壁１Ａに沿って回転され、この後空気のみが上方に向かって電動送風機２に吸引されていく。このように、空気の流れの方向が２度変えられることにより、その空気の風路損が大きく、しかも空気はダストカップ１内で回転した後電動送風機２に吸引されていくので、その風路損は非常に大きなものとなり、電動送風機の能力を十分に発揮することができないという問題があった。
【０００７】
また、紙フィルタである紙パックを集塵室に装着する通常の電気掃除機にあっては、吸気口，紙パック，電動送風機が一直線状に並んでいることにより、風路損は大きくならないが、紙パックに塵埃が溜まると極端に風量が落ちてしまう問題があった。
【０００８】
そこで、この発明の目的は、風路損を小さくすることができると共に、塵埃が溜まっても風量が落ちず、エアから塵埃を分離する塵埃分離手段に付着した塵埃を容易に剥離できる電気掃除機を提供することにある。
【０００９】
【課題を解決するための手段】
上記目的を達成するため、この発明は、掃除機本体の吸気口から電動送風機の吸気開口に至るまでの吸込風路に設けられて前記吸気口からエアと共に吸い込まれる塵埃を分離する塵埃分離部と、前記塵埃分離部でエアから分離された塵埃を捕集する集塵部とを備えた電気掃除機であって、前記塵埃分離部は、上流側に位置するメッシュ状のフィルタ筒部と、前記フィルタ筒部の下流端に連設された非通気性の筒部を備えている電気掃除機としたことを特徴とする。
【００１０】
【実施の形態】
以下、この発明に係る電気掃除機の実施の形態を図面に基づいて説明する。
【００１１】
図１において、２０は掃除機本体であり、この掃除機本体２０にはホース２１の一端が着脱自在に接続され、その他端には手元操作管２２が設けられている。手元操作管２２には延長管２３が着脱自在に接続され、延長管２３の先端部には吸込口体２４が着脱自在に接続されている。手元操作管２２には操作部２２Ａが設けられており、この操作部２２Ａには図示しない操作スイッチが設けられている。
【００１２】
掃除機本体２０は、図２ないし図５に示すように、本体ケース３０と、本体ケース３０に着脱自在に載置される集塵容器（ダストカップ）５０と、後部が本体ケース３０にヒンジ結合されて上下方向に開閉可能となっている蓋体４０とを備えている。
【００１３】
本体ケース３０は、吸気開口３３Ａおよび排気口３３Ｂが設けられた電動送風機３３を内蔵していると共に、この電動送風機３３の前側の下部から前方へ突出した皿状の載置部３５を有する。この載置部３５には集塵容器５０が着脱自在に載置され、蓋体４０を閉じた際にこの蓋体４０と載置部３５とで集塵容器５０を挟持して固定するようになっている。
【００１４】
本体ケース３０の両側面には、前側の上部から後部側の下部に亘って膨出部３６が形成され、この膨出部３６の下部は後輪３７を回転自在に保持している。また膨出部３６と本体ケース３０の両側面の前側には複数の排気孔３８が形成されている。この排気孔３８は図示しない排気風路を介して電動送風機３３の排気口３３Ｂと連通しており、電動送風機３３の排気口３３Ｂから排気される空気は排気風路を介して排気孔３８から外へ排気されるようになっている。また、本体ケース３０の電動部３４には電動送風機３３の下側に図示しないバッテリーが内蔵されている。
【００１５】
蓋体４０は、平面視がほぼ楕円形に形成された天板４１を有し、この天板４１の周囲に周壁４２が一体に形成されている。周壁４２の前部には集塵ホース２１を着脱自在に接続する接続口４３を有する接続パイプ４４が設けられている。この接続パイプ４４は前後方向に延びており、その後端４５は開口している。
【００１６】
集塵容器５０は、図６ないし図８に示すように、後面（図６において右側の端部）に開口５１を有し且つ前面に吸気口（エア流入口）５２を有する容器ケース体５３と、この容器ケース体５３の吸気口５２の下に一体形成された把手部５４とを有している。
【００１７】
容器ケース体５３は、下部に形成した集塵室部（集塵部）５５と、この集塵室５５の上に形成した負圧室部５６と、この負圧室部５６内に設けられた塵埃分離部６０と、この塵埃分離部６０で分離された塵埃を集塵室部５５へ案内する案内管７０とを有している。尚、容器ケース体５３は前壁５３ａを有し、吸気口（エア流入口）５２は前壁５３ａの上部側に形成されている。そして、吸気口５２は負圧室部５６に開口している。
【００１８】
集塵室部５５の底部には、底板５７が軸Ｊ回りに開閉可能に取り付けられており、この底板５７を開けることにより集塵室部５５内に蓄積される塵埃が捨てられるようになっている。集塵室部５５と負圧室部５６とを区画する集塵室部５５の天板５８には開口５９が形成され、この開口５９には図８に示すようにネットフィルタＦ１が取り付けられている。天板５８の開口５９の後には接続穴５８Ａが形成されている。この接続穴５８Ａの下方には集塵室部５５内で旋回流を発生させるためのガイド壁Ｇが設けられている。
【００１９】
また、集塵室部５５の後壁部５５Ａは容器ケース体５３の開口５１より内側に引っ込んでおり、その開口５１内にフィルタ８０（図３参照）が着脱自在に装着されるようになっている。しかも、負圧室部５６はフィルタ８０を介して電動送風機３３の吸気開口３３Ａに連通させられている。
【００２０】
塵埃分離部６０は、筒状の風路６１を形成した筒状フィルタ６２と、この筒状フィルタ６２の他端開口６２Ｂに設けた突当て部６３が設けられた突当部材（筒体）を有している。その筒状フィルタ６２の一端開口６２Ａの径ｄ１は容器ケース体５３の吸気口（エア流入口）５２の径ｄ２より大きく形成され、筒状フィルタ６２の他端開口６２Ｂの径ｄ３はその吸気口５２の径ｄ２より小さく形成されている。
【００２１】
ここで、塵埃を含むエアが吸気口５２から筒状フィルタ６２内に流入すると、塵埃を含むエアは筒状フィルタ６２の一端開口６２Ａから他端開口６２Ｂに向けて流れるので、エアの流れを基準に考えると、筒状フィルタ６２の一端開口６２Ａは上流端になり、筒状フィルタ６２の他端開口６２Ｂは下流端になる。しかも、筒状フィルタ６２の一端開口６２Ａ（上流端）は、吸気口（エア流入口）５２の周囲の部分において容器ケース体５３の前壁５３ａの後面に密接又は固着されている。これにより、吸気口５２が一端開口６２Ａ内に位置するように、容器ケース体５３の吸気口５２とが一端開口２Ａとが接続されている。
【００２２】
また、筒状フィルタ６２の径は一端（上流端）から他端（下流端）に向かうに従って直線的に漸減している。即ち、前記塵埃分離部６０の筒状フィルタ６２は、下流に向かうに従って徐々に円錐筒状（テーパ筒状）に縮径させられている。
【００２３】
更に、筒状フィルタ６２の風路６１は前後方向に直線状に延びており、蓋体４０の接続パイプ４４と、容器ケース体５３の吸気口５２と、筒状フィルタ６２と、容器ケース体５３の開口５１と、電動送風機３３の吸気開口３３Ａとが一直線上に配置されている。
【００２４】
また、筒状フィルタ６２は、図６に示すように、複数の開口６４が設けられた筒状枠Ｗと、この筒状枠Ｗの内周面側に取り付けられたメッシュ状のネットフィルタ（メッシュ状フィルタ）Ｆ２を備えている。この筒状枠Ｗは、一端開口６２Ａを形成している環状（円形）の枠部Ｗ１と、他端開口６２Ｂを形成している円形で筒状（環状）の枠部Ｗ２と、枠部Ｗ１，Ｗ２を連結している複数の桟状の枠部（桟状フレーム部）Ｗ３を備えている。尚、各枠部Ｗ１〜Ｗ３によって囲まれた空間が開口６４となっている。この開口６４は、筒状フィルタ６２の全周に亘って一様に設けられていている。また、風路６１は、枠部Ｗ１〜Ｗ３およびネットフィルタＦ２によって囲まれて形成されている。
【００２５】
しかも、ネットフィルタＦ２は、筒状枠Ｗの内周面に沿って筒状に形成されてフィルタ筒部となっていると共に、複数の開口６４を覆うように筒状枠Ｗに接着又は融着等により取り付けられている。また、筒状枠Ｗの枠部Ｗ２は、幅広に形成されていて非通気性の筒部となっている。この非通気性の筒部である枠部Ｗ２は、上流端の径ｄ４が吸気口（エア流入口）５２の径ｄ２よりも大きく形成され、下流端の径が吸気口（エア流入口）５２小さく形成されている。これにより、吸気口５２の周縁は枠部Ｗ２の幅方向中間部に対応させられていて、吸気口５２から風路６１に流入するエア中の塵埃のうち周縁部のものは流入する際の慣性力により枠部Ｗ２に向けて移動させられるようになっている。
【００２６】
このネットフィルタＦ２は、メッシュ状の目の粗さが即ちメッシュ（網目）の開口が流路６１の上流側から下流側に向かうに従って徐々に又は段階的に小さくなるように形成されている。例えば、ネットフィルタＦ２は、メッシュ状の目の粗さが即ちメッシュ（網目）の開口が流路６１の上流側から下流側に向かうに従って１１０μｍ〜３０μｍの間で徐々に又は段階的に小さくなるように形成されている。
【００２７】
更に、ネットフィルタＦ２は、メッシュ状の樹脂繊維フィルタの表面にスパッタリングにより金属被膜層を形成したものが用いられていて、非常にゴミが付着しにくいように滑りやすくなっている。尚、この金属被膜層に変えてネットフィルタＦ２の表面をテフロン（登録商標）加工やフッ素加工を施して、ネットフィルタＦ２の表面に滑りやすい被膜層を形成してもよい。
【００２８】
そして、筒状フィルタ６２の風路６１は、筒状フィルタ６２の開口６４と容器ケース体５３の負圧室部５６と本体ケース３０の電動部３４の開口３４Ａを介して電動送風機３３の吸気開口３３Ａに連通している。また、筒状フィルタ６２の風路６１の延びる方向と蓋体４０の接続パイプ４４の延びる方向とが一直線状となっており、筒状フィルタ６２の風路６１の延びる方向に電動送風機３３の吸気開口３３Ａが向きあっている。
【００２９】
突当て部６３は、筒状フィルタ６２の他端開口６２Ｂの上部から斜め下方に向かって延びた傾斜壁部６３Ａと、この傾斜壁部６３Ａの一端から湾曲して下方に延びるとともに筒状フィルタ６２の他端開口６２Ｂに対向する突当壁部６３Ｂと、傾斜壁部６３Ａおよび突当壁部６３Ｂの両側に形成された側壁部６３Ｃとを有している。また、突当て部６３は、筒状フィルタ６２の他端開口６２Ｂに接合された開口６３Ｄを有すると共に下方を向いた開口６３Ｅを有する。
【００３０】
案内管７０は、上下方向に延びていて突当て部６３の開口６３Ｅと天板５８の接続穴５８Ａを介して集塵室部５５内とを連通している。尚、筒状フィルタ６２，突当部６３，案内管７０を、一体に形成すると共に容器ケース体５３とは別体に形成して、接着又は超音波融着等により容器ケース体５３の天板５８に固着してもよい。また、突当部６３と案内管７０を一体に形成すると共に筒状フィルタ６２及び容器ケース体５３とは別体に形成して、筒状フィルタ６２を突当て部６３及び前壁５３ａに接着又は超音波融着等により固着すると共に、案内管７０の下端を接着又は超音波融着等により天板５８に固着しても良い。
［動  作］
次に、上記のように構成される電気掃除機の動作について説明する。
【００３１】
先ず、図４に示すように、集塵容器５０を本体ケース３０の載置部３５に載置して蓋体４０を閉じ、ホース２１を蓋体４０の接続口４３に接続する。そして、操作部２２Ａの図示しないスイッチを操作すると電動送風機３３が駆動される。この電動送風機３３の駆動により、本体ケース３０の開口３４Ａを介して容器ケース体５３の負圧室部５６が負圧となる。この負圧が筒状フィルタ６２の開口６４，筒状フィルタ６２の風路６１，容器ケース体５３の吸気口５２，蓋体４０の接続パイプ４４，ホース２１，延長管２３および吸込口体２４に作用し、吸込口体２４から空気とともに塵埃が吸引されていく。
【００３２】
この吸引された塵埃および空気が延長管２３およびホース２１を介して蓋体４０の接続口４３へ吸引されていく。この接続口４３へ吸引された塵埃および空気は、集塵容器５０の吸気口５２を通って塵埃分離部６０の筒状フィルタ６２の風路６１に吸引されていく。
【００３３】
風路６１に吸引された空気は筒状フィルタ６２の開口６４のネットフィルタＦ２を介して容器ケース体５３の負圧室部５６に吸引され、さらに容器ケース体５３の開口５１に装着したフィルタ８０を介して電動送風機３３の吸気開口３３Ａに吸引されていく。
一方、筒状フィルタ６２の風路６１に吸引された所定以上の質量のある塵埃は、その風路６１が前後方向に直線状に延びていることにより、風路６１を直進して突当て部６３の突当壁部６３Ｂに突き当る。
【００３４】
この際、吸気口５２から流入する塵埃のうち周縁部のもののうち、吸気口５２から風路６１内に流入する際の慣性力により略直進するものは慣性エネルギーが大きい。このため、吸気口５２から流入する塵埃のうち周縁部のもののうち、吸気口５２から風路６１内に流入する際の慣性力により略直進するものがネットフィルタ（フィルタ筒部）Ｆ２の下流端部に衝突した場合に、ネットフィルタＦ２の下流端部の網目（メッシュ開口）は慣性エネルギーにより目詰まりして通気性がなくなり、通気性の回復も期待できなくなる。
【００３５】
しかし、本実施例では、吸気口５２から流入する塵埃のうち周縁部のもののうち、吸気口５２から風路６１内に流入する際の慣性力により略直進するものがフィルタＦ２の下流端部に当たることなく非通気性の筒部である枠部Ｗ２に当たった後に、突当て部６３の突当壁部６３Ｂに突き当ることになるので、ネットフィルタ（フィルタ筒部）Ｆ２の下流端部の目詰まりが軽減される。この突当壁部６３Ｂに突き当った塵埃は、下方に偏向させられた後に、案内管７０により集塵室部５５内へ導入されていく。この様にして、塵埃分離部６０により空気と塵埃が分離されることになる。
【００３６】
また、空気の一部は突当て部６３および案内管７０を介して集塵室部５５内へ導入され、この導入された空気は集塵室部５５のガイド壁Ｇによって旋回流となり、集塵室部５５内へ導入さた塵埃はその旋回流により圧縮されながら蓄積されていく。
【００３７】
集塵室部５５内に導入された空気は、旋回流となった後集塵室部５５の天板５８の開口５９を介して容器ケース体５３の負圧室部５６に吸引されていく。
【００３８】
重さの軽い微細な塵埃は、筒状フィルタ６２の風路６１を直進することなく開口６４のネットフィルタＦ２を通る空気に乗って流れていくので、ネットフィルタＦ２に付着していく。そして、微細な塵埃の付着によりネットフィルタＦ２の目詰まりが大きくなると、そのネットフィルタＦ２を通る風量が減少していくが、その減少した分だけ容器ケース体５３の負圧室部５６の負圧が大きくなり、天板５８の開口５９を介して集塵室部５５内の負圧も大きくなる。このため、筒状フィルタ６２の風路６１を直進する空気の風速が大きくなり、その直進する風量も増加することになる。そして、筒状フィルタ６２の風路６１を直進する風速が大きくなると、その直進する空気がネットフィルタＦ２に付着した塵埃を剥がしていく。
【００３９】
この様に風（エア）には微細で比較的軽い塵埃も含まれ、この軽い塵埃はネットフィルタＦ２に捕集されることになる。この軽い塵埃は慣性エネルギーが小さいのでネットフィルタＦ２のメッシュ（網目）に強く食い込むようなことはないので剥離しやすい状態となっている。また、この風（エア）に含まれる塵埃のうち、吸気口５２から風路６１内に流入する周縁部のものが吸気口５２から風路６１内に流入する際の慣性力により略直進するものは慣性エネルギーが大きいが、この塵埃はネットフィルタＦ２に当たらず幅広の枠部（非通気性の筒部）Ｗ２にあたるため、ネットフィルタＦ２のメッシュ（網目）の目詰まりの原因となることは回避できる。
【００４０】
従って、ネットフィルタＦ２に捕集された塵埃はある程度の量になると、風路６１に吸い込まれたエアによりネットフィルタＦ２から容易に剥離され、このネットフィルタＦ２から剥離された塵埃は突当て部６３および案内管７０を介して集塵室部５５内へ導入されて蓄積されていくことになる。
【００４１】
更に、筒状のネットフィルタＦ２の径が上流端から下流端に行くにしたがって直線的に漸減することになるので、ネットフィルタＦ２内の風路６１を直進せずにネットフィルタＦ２のメッシュ（網目）側に向かう風はネットフィルタＦ２の全面に一様に当たりやすくなることになる。しかも、この風（エア）には比較的軽い塵埃も含まれ、この軽い塵埃はネットフィルタＦ２の全面に一様に当たってネットフィルタＦ２に捕集されることになる。この軽い塵埃は慣性エネルギーが小さいのでネットフィルタＦ２のメッシュ（網目）に強く食い込むようなことはないので剥離しやすい状態となっいる。
【００４２】
また、目詰まりによりネットフィルタＦ２を通る風量が減少しても、筒状フィルタ６２の風路６１を直進する風量が増加するので、電動送風機３３が吸引する風量は一定に保たれる。このため、ネットフィルタＦ２の目詰まりに拘わりなく、常に所定の吸引力で塵埃を吸引することができることになる。
【００４３】
また、筒状フィルタ６２の風路６１内で旋回流を生じさせて塵埃と空気とを分離させていないことにより、その風路６１内での風路損は小さなものとなる。しかも、筒状フィルタ６２の風路６１からネットフィルタＦ２を通って容器ケース体５３の負圧室部５６に吸引されていく際、吸気口５２と筒状フィルタ６２と容器ケース体５３の開口５１と電動送風機３３の吸込開口３３Ａとが一直線上に配置されていることにより、その空気の流れの向きは矢印Ｑ（図３参照）で示すように大きく変わることがなく、ほぼ直線的に流れて電動送風機３３に吸引されていく。
【００４４】
このため、その風路損はさらに小さなものとなり、電動送風機３３の機能を十分に発揮することができることになる。さらに、蓋体４０の接続パイプ４４と筒状フィルタ６２とが一直線上に並んでいることにより、容器ケース体５３の吸気口５２に向けて導入される空気の方向が筒状フィルタ６２の延びる方向と一直線状になるので、その風路損はより一層小さなものとなる。
【００４５】
以上説明したように、この発明の実施の形態の電気掃除機は、掃除機本体２０の吸気口５２から電動送風機３３の吸気開口３３Ａに至るまでの吸込風路に設けられて前記吸気口５２からエアと共に吸い込まれる塵埃を分離する塵埃分離部６０と、前記塵埃分離部６０でエアから分離された塵埃を捕集する集塵部（集塵室部５５）とを備えている。しかも、前記塵埃分離部６０は、上流側に位置するメッシュ状のフィルタ筒部（ネットフィルタＦ２）と、前記フィルタ筒部（ネットフィルタＦ２）の下流端に連設された非通気性の筒部（枠部Ｗ２）即ち非メッシュ部を備えている。
【００４６】
この構成によれば、フィルタ筒部（ネットフィルタＦ２）内に流入する軽い塵埃は、フィルタ筒部（ネットフィルタＦ２）に捕集されることになる。この軽い塵埃は慣性エネルギーが小さいのでフィルタ筒部のメッシュ（網目）に強く食い込むようなことはないので剥離しやすい状態となっている。また、この風（エア）に含まれる塵埃のうち、吸気口５２から風路６１内に流入する周縁部のものが吸気口５２からフィルタ筒部内の風路６１内に流入する際の慣性力により略直進するものは慣性エネルギーが大きいが、この塵埃はネットフィルタＦ２に当たらず幅広の非通気性の筒部（枠部Ｗ２）にあたるため、フィルタ筒部（ネットフィルタＦ２）のメッシュ（網目）の目詰まりの原因となることは回避できる。
【００４７】
尚、上述した実施例では、筒状フィルタ６２およびフィルタ筒部（ネットフィルタＦ２）は下流側に向かうに従って徐々に縮径する円錐筒状に形成されているが、筒状フィルタ６２およびフィルタ筒部（ネットフィルタＦ２）は上流端から下流端まで略同じ径の筒状に形成することもできる。この場合でも、フィルタ筒部内に流入した塵埃のうち周縁部の略直進するものがフィルタ筒部の下流端部に当たった場合、フィルタ筒部の下流端部が目詰まりして、目詰まりの原因となった塵埃が容易に剥離できないことも生じる虞がある。従って、この場合でも、フィルタ筒部内に流入した塵埃のうち周縁部の略直進するものがフィルタ筒部に当たる部分は非メッシュ部（非通気性の筒部）としておくことで、円錐筒状のフィルタ筒部と同様にフィルタ筒部（ネットフィルタＦ２）のメッシュ（網目）の目詰まりの原因となることを回避することができる。
【００４８】
また、この発明の実施の形態では、前記塵埃分離部６０は下流に向かうに従って徐々に縮径する円錐筒状に形成されている。この構成によれば、フィルタ筒部（ネットフィルタＦ２）の径が上流端から下流端に行くにしたがって直線的に漸減することになるので、フィルタ筒部内の風路６１を直進せずにフィルタ筒部（ネットフィルタＦ２）のメッシュ（網目）側に向かう風はフィルタ筒部（ネットフィルタＦ２）の全面に一様に当たりやすくなることになる。しかも、この風（エア）には比較的軽い塵埃も含まれ、この軽い塵埃はフィルタ筒部（ネットフィルタＦ２）の全面に一様に当たってネットフィルタＦ２に捕集されることになる。この軽い塵埃は慣性エネルギーが小さいのでネットフィルタＦ２のメッシュ（網目）に強く食い込むようなことはないので剥離しやすい状態となっている。
【００４９】
更に、この発明の実施の形態では、前記フィルタ筒部（ネットフィルタＦ２）と非通気性の筒部（枠部Ｗ２）は筒状フィルタ６２を構成し、前記筒状フィルタ６２のエア流入口側の径は前記吸気口５２の径よりも大きく形成され、前記筒状フィルタ６２の下流端の径は前記吸気口５２の径よりも小径に形成されていると共に、前記非通気性の筒部（枠部Ｗ２）の上流端の径は前記吸気口５２の径よりも大きく形成されている。
【００５０】
この構成によれば、フィルタ筒部（ネットフィルタＦ２）内に流入する軽い塵埃は、フィルタ筒部（ネットフィルタＦ２）に捕集されることになる。この軽い塵埃は慣性エネルギーが小さいのでフィルタ筒部のメッシュ（網目）に強く食い込むようなことはないので剥離しやすい状態となっている。また、この風（エア）に含まれる塵埃のうち、吸気口５２から風路６１内に流入する周縁部のものが吸気口５２からフィルタ筒部内の風路６１内に流入する際の慣性力により略直進するものは慣性エネルギーが大きいが、この塵埃はネットフィルタＦ２に当たらず幅広の非通気性の筒部（枠部Ｗ２）にあたるため、フィルタ筒部（ネットフィルタＦ２）のメッシュ（網目）の目詰まりの原因となることを回避することができる。
【００５１】
【発明の効果】
以上説明したように、この発明によれば、風路損を小さくすることができると共に、塵埃が溜まっても風量が落ちず、エアから塵埃を分離する塵埃分離手段に付着した塵埃を容易に剥離できる。
【図面の簡単な説明】
【図１】この発明に係る電機掃除機の外観を示した斜視図である。
【図２】図１に示す電気掃除機の掃除機本体を示した斜視図である。
【図３】図２に示す掃除機本体の一部を断面にした側面図である。
【図４】蓋体を開けた状態を示した掃除機本体の側面図である。
【図５】掃除機本体を示した斜視図である。
【図６】集塵容器の構成を示した縦断面図である。
【図７】ネットフィルタの円錐状フレームからメッシュ部を除いた状態で集塵容器を示した斜視図である。
【図８】集塵容器の構成を示した平断面図である。
【図９】従来の電気掃除機の構成を示した説明図である。
【符号の説明】
２０・・・掃除機本体
３３・・・電動送風機
３３Ａ・・・吸気開口
５２・・・吸気口
５５・・・集塵室部（集塵部）
６０・・・塵埃分離部
６２・・・筒状フィルタ
Ｆ２・・・ネットフィルタ（フィルタ筒部）
Ｗ２・・・枠部（非通気性の筒部）
【図１】
2004147929.tif 000003
【図２】
2004147929.tif 000004
【図３】
2004147929.tif 000005
【図４】
2004147929.tif 000006
【図５】
2004147929.tif 000007
【図６】
2004147929.tif 000008
【図７】
2004147929.tif 000009
【図８】
2004147929.tif 000010
【図９】
2004147929.tif 000011
【手続補正書】
【提出日】平成15年2月17日(2003.2.17)
【手続補正１】
【補正対象書類名】明細書
【補正対象項目名】００２５
【補正方法】変更
【補正の内容】
【００２５】
しかも、ネットフィルタＦ２は、筒状枠Ｗの内周面に沿って筒状に形成されてフィルタ筒部となっていると共に、複数の開口６４を覆うように筒状枠Ｗに接着又は融着等により取り付けられている。また、筒状枠Ｗの枠部Ｗ２は、幅広に形成されていて非通気性の筒部となっている。この非通気性の筒部である枠部Ｗ２は、上流端の径ｄ４が吸気口（エア流入口）５２の径ｄ２よりも大きく形成され、下流端の径ｄ３が吸気口（エア流入口）５２の径ｄ２より小さく形成されている。これにより、吸気口５２の周縁は枠部Ｗ２の幅方向中間部に対応させられていて、吸気口５２から風路６１に流入するエア中の塵埃のうち周縁部のものは流入する際の慣性力により枠部Ｗ２に向けて移動させられるようになっている。


【手続補正２】
【補正対象書類名】図面
【補正対象項目名】図６
【補正方法】変更
【補正の内容】
【図６】
2004147929.tif 000012
【手続補正書】
【提出日】平成15年3月28日(2003.3.28)
【手続補正１】
【補正対象書類名】明細書
【補正対象項目名】特許請求の範囲
【補正方法】変更
【補正の内容】
【特許請求の範囲】
【請求項１】
掃除機本体の吸気口から電動送風機の吸気開口に至るまでの吸込風路に設けられて前記吸気口からエアと共に吸い込まれる塵埃を分離する塵埃分離部と、前記塵埃分離部でエアから分離された塵埃を捕集する集塵部とを備えた電気掃除機であって、
前記塵埃分離部は一端から塵埃を含むエアが導入されるとともに上流側に位置するフィルタ筒部と前記フィルタ筒部の下流端に連設された非通気性の筒部とからなる筒状の風路を備え、前記筒状の風路に導入されたエアが前記フィルタ筒部を介して前記電動送風機に吸い込まれる一方、前記筒状の風路を直進する塵埃が前記集塵部に捕集されることを特徴とする電気掃除機。
【請求項２】
請求項１に記載の電気掃除機において、前記フィルタ筒部は下流に向かうに従って徐々に縮径する円錐筒状に形成されていることを特徴とする電気掃除機。
【請求項３】
請求項２に記載の電気掃除機において、前記フィルタ筒部と非通気性の筒部は筒状の風路を構成し、前記筒状の風路のエア流入口側の径は前記吸気口の径よりも大きく形成され、前記筒状フィルタの下流端の径は前記吸気口の径よりも小径に形成されていると共に、前記非通気性の筒部の上流端の径は前記吸気口の径よりも大きく形成されていることを特徴とする電気掃除機。
【手続補正２】
【補正対象書類名】明細書
【補正対象項目名】０００９
【補正方法】変更
【補正の内容】
【０００９】
【課題を解決するための手段】
上記目的を達成するため、この発明は、  掃除機本体の吸気口から電動送風機の吸気開口に至るまでの吸込風路に設けられて前記吸気口からエアと共に吸い込まれる塵埃を分離する塵埃分離部と、前記塵埃分離部でエアから分離された塵埃を捕集する集塵部とを備えた電気掃除機であって、
前記塵埃分離部は一端から塵埃を含むエアが導入されるとともに上流側に位置するフィルタ筒部と前記フィルタ筒部の下流端に連設された非通気性の筒部とからなる筒状の風路を備え、前記筒状の風路に導入されたエアが前記フィルタ筒部を介して前記電動送風機に吸い込まれる一方、前記筒状の風路を直進する塵埃が前記集塵部に捕集される電気掃除機としたことを特徴とする。




【手続補正書】
【提出日】平成15年6月16日(2003.6.16)
【手続補正１】
【補正対象書類名】明細書
【補正対象項目名】特許請求の範囲
【補正方法】変更
【補正の内容】
【特許請求の範囲】
【請求項１】
掃除機本体の吸気口から電動送風機の吸気開口に至るまでの吸込風路に形成された負圧室部内に設けられて前記吸気口からエアと共に吸い込まれる塵埃を分離する塵埃分離部と、前記負圧室部と区画され前記塵埃分離部でエアから分離された塵埃を案内管を介して捕集する集塵部とを備えた電気掃除機であって、
前記塵埃分離部は、前記吸気口に対向して連通する一端から塵埃を含むエアが導入されるとともに上流側に位置するフィルタ筒部と前記フィルタ筒部の下流端に連設された非通気性の筒部とからなる筒状の風路を備え、
前記筒状の風路の下流端の径は前記吸気口の径よりも小径に形成され、
前記電動送風機の吸気開口は、前記風路を間において前記吸気口と反対側に配置され、
前記筒状の風路に導入されたエアが前記フィルタ筒部を介して前記電動送風機の吸気開口に吸い込まれる一方、前記筒状の風路を直進する塵埃が前記案内管を介して前記集塵部に導入されて捕集されることを特徴とする電気掃除機。
【請求項２】
掃除機本体の吸気口から電動送風機の吸気開口に至るまでの吸込風路に形成された負圧室部内に設けられて前記吸気口からエアと共に吸い込まれる塵埃を分離する塵埃分離部と、前記負圧室部と区画され前記塵埃分離部でエアから分離された塵埃を捕集する集塵部とを備えた電気掃除機であって、
前記塵埃分離部は、前記吸気口に対向して連通する一端から塵埃を含むエアが導入されるとともに上流側に位置するフィルタ筒部と前記フィルタ筒部の下流端に連設された非通気性の筒部とからなる筒状の風路と、該筒状の風路の下流端に対向する突当部とを備え、
前記筒状の風路の下流端の径は前記吸気口の径よりも小径に形成され、
前記電動送風機の吸気開口は、前記風路を間において前記吸気口と反対側に配置され、
前記筒状の風路に導入されたエアが前記フィルタ筒部を介して前記電動送風機の吸気開口に吸い込まれる一方、前記筒状の風路を直進する塵埃が前記突当部に当てられて前記集塵部に導入されて捕集されることを特徴とする電気掃除機。
【請求項３】
掃除機本体の吸気口から電動送風機の吸気開口に至るまでの吸込風路に設けられて前記吸気口からエアと共に吸い込まれる塵埃を分離する塵埃分離部と、この塵埃分離部の下方に設けられ前記塵埃分離部でエアから分離された塵埃を捕集する集塵部とを備えた電気掃除機であって、
前記塵埃分離部は、前記吸気口に対向して連通する一端から塵埃を含むエアが導入されるとともに上流側に位置するフィルタ筒部と前記フィルタ筒部の下流端に連設された非通気性の筒部とからなる筒状の風路を備え、
前記筒状の風路の下流端の径は前記吸気口の径よりも小径に形成され、
前記電動送風機の吸気開口は、前記風路を間において前記吸気口と反対側に配置され、
前記筒状の風路に導入されたエアが前記フィルタ筒部を介して前記電動送風機の吸気開口に吸い込まれる一方、前記筒状の風路を直進する塵埃が前記集塵部に導入されて捕集されることを特徴とする電気掃除機。
【請求項４】
掃除機本体の吸気口から電動送風機の吸気開口に至るまでの吸込風路に形成された負圧室部内に設けられて前記吸気口からエアと共に吸い込まれる塵埃を分離する塵埃分離部と、前記負圧室部と区画され前記塵埃分離部でエアから分離された塵埃を案内管を介して捕集する集塵部とを備えた電気掃除機であって、
前記塵埃分離部は、前記吸気口に対向して連通する一端から塵埃を含むエアが導入されるとともに上流側に位置するフィルタ筒部と前記フィルタ筒部の下流端に連設された非通気性の筒部とからなる筒状の風路を備え、
前記筒状の風路の下流端の径は前記吸気口の径よりも小径に形成され、
前記電動送風機の吸気開口に連通する開口は前記風路を間において前記吸気口と反対側に配置され、
前記筒状の風路に導入されたエアが前記フィルタ筒部を介して前記電動送風機の吸気開口に連通する開口に吸い込まれる一方、前記筒状の風路を直進する塵埃が前記案内管を介して前記集塵部に導入されて捕集されることを特徴とする電気掃除機。
【請求項５】
掃除機本体の吸気口から電動送風機の吸気開口に至るまでの吸込風路に形成された負圧室部内に設けられて前記吸気口からエアと共に吸い込まれる塵埃を分離する塵埃分離部と、前記負圧室部と区画され前記塵埃分離部でエアから分離された塵埃を捕集する集塵部とを備えた電気掃除機であって、
前記塵埃分離部は、前記吸気口に対向して連通する一端から塵埃を含むエアが導入されるとともに上流側に位置するフィルタ筒部と前記フィルタ筒部の下流端に連設された非通気性の筒部とからなる筒状の風路と、該筒状の風路の下流端に対向する突当部とを備え、
前記筒状の風路の下流端の径は前記吸気口の径よりも小径に形成され、
前記電動送風機の吸気開口に連通する開口は前記風路を間において前記吸気口と反対側に配置され、
前記筒状の風路に導入されたエアが前記フィルタ筒部を介して前記電動送風機の吸気開口に連通する開口に吸い込まれる一方、前記筒状の風路を直進する塵埃が前記突当部に当てられて前記集塵部に導入されて捕集されることを特徴とする電気掃除機。
【請求項６】
掃除機本体の吸気口から電動送風機の吸気開口に至るまでの吸込風路に設けられて前記吸気口からエアと共に吸い込まれる塵埃を分離する塵埃分離部と、この塵埃分離部の下方に設けられ前記塵埃分離部でエアから分離された塵埃を捕集する集塵部とを備えた電気掃除機であって、
前記塵埃分離部は、前記吸気口に対向して連通する一端から塵埃を含むエアが導入されるとともに上流側に位置するフィルタ筒部と前記フィルタ筒部の下流端に連設された非通気性の筒部とからなる筒状の風路を備え、
前記筒状の風路の下流端の径は前記吸気口の径よりも小径に形成され、
前記電動送風機の吸気開口に連通する開口は前記風路を間において前記吸気口と反対側に配置され、
前記筒状の風路に導入されたエアが前記フィルタ筒部を介して前記電動送風機の吸気開口に連通する開口に吸い込まれる一方、前記筒状の風路を直進する塵埃が前記集塵部に導入されて捕集されることを特徴とする電気掃除機。
【請求項７】
請求項１〜６のいずれか一つに記載の電気掃除機において、前記フィルタ筒部は下流に向かうに従って徐々に縮径する円錐筒状に形成されていることを特徴とする電気掃除機。
【請求項８】
請求項７に記載の電気掃除機において、前記フィルタ筒部と非通気性の筒部は筒状の風路を構成し、前記筒状の風路のエア流入口側の径は前記吸気口の径よりも大きく形成され、前記筒状フィルタの下流端の径は前記吸気口の径よりも小径に形成されていると共に、前記非通気性の筒部の上流端の径は前記吸気口の径よりも大きく形成されていることを特徴とする電気掃除機。
【手続補正２】
【補正対象書類名】明細書
【補正対象項目名】０００９
【補正方法】変更
【補正の内容】
【０００９】
【課題を解決するための手段】
上記目的を達成するため、この発明は、掃除機本体の吸気口から電動送風機の吸気開口に至るまでの吸込風路に形成された負圧室部内に設けられて前記吸気口からエアと共に吸い込まれる塵埃を分離する塵埃分離部と、前記負圧室部と区画され前記塵埃分離部でエアから分離された塵埃を案内管を介して捕集する集塵部とを備えた電気掃除機であって、前記塵埃分離部は、前記吸気口に対向して連通する一端から塵埃を含むエアが導入されるとともに上流側に位置するフィルタ筒部と前記フィルタ筒部の下流端に連設された非通気性の筒部とからなる筒状の風路を備え、前記筒状の風路の下流端の径は前記吸気口の径よりも小径に形成され、前記電動送風機の吸気開口は、前記風路を間において前記吸気口と反対側に配置され、前記筒状の風路に導入されたエアが前記フィルタ筒部を介して前記電動送風機の吸気開口に吸い込まれる一方、前記筒状の風路を直進する塵埃が前記案内管を介して前記集塵部に導入されて捕集される電気掃除機としたことを特徴とする。


【手続補正３】
【補正対象書類名】図面
【補正対象項目名】図３
【補正方法】変更
【補正の内容】
【図３】
2004147929.tif 000013
【手続補正４】
【補正対象書類名】図面
【補正対象項目名】図５
【補正方法】変更
【補正の内容】
【図５】
2004147929.tif 000014